(57)【要約】【課題】キックの精度向上をより一層図ることのできるサッカー用ウェアを提供することを目的とする。【解決手段】相対的に高い引張応力を示す伸縮性の強パワー部（ハイパワー部、ミドルパワー部）と、相対的に低い引張応力を示す伸縮性のベース部とを備えたサッカー用ウェアである。その上半身ウェア１０は、左・右胸帯状ライン（一方の肩関節から胸部を経て逆側の股関節に向かう直線または弧状曲線のライン）における腕付け根、胸部及び上腹部、並びにこれに続く上腕部にハイパワー部１１が配置されたものである。【選択図】図１
2011021291.tif 000002
【特許請求の範囲】
【請求項１】
相対的に高い引張応力を示す伸縮性の強パワー部と、相対的に低い引張応力を示す伸縮性のベース部とを備えたサッカー用ウェアであり、
該サッカー用ウェアの上半身ウェアは、
左肩関節から左胸部を経て右股関節に向かう直線または弧状曲線の左胸帯状ラインにおける少なくとも腕付け根及び胸部に、前記強パワー部が配置されると共に、
右肩関節から右胸部を経て左股関節に向かう直線または弧状曲線の右胸帯状ラインにおける少なくとも腕付け根及び胸部に、前記強パワー部が配置されたものであることを特徴とするサッカー用ウェア。
【請求項２】
前記強パワー部が、前記左胸帯状ライン及び前記右胸帯状ラインにおいて、それぞれ、前記胸部から上腹部、または更に臍部まで延びて配置された請求項１に記載のサッカー用ウェア。
【請求項３】
前記強パワー部が、それぞれ、前記腕付け根から上腕部まで延びて配置された請求項１または２に記載のサッカー用ウェア。
【請求項４】
前記上半身ウェアと組み合わせて着用する下半身ウェアを備え、
該下半身ウェアは、
前記左胸帯状ラインにおける少なくとも下腹部に、前記強パワー部が配置され、
前記右胸帯状ラインにおける少なくとも下腹部に、前記強パワー部が配置された請求項１〜３のいずれか１項に記載のサッカー用ウェア。
【請求項５】
前記左胸帯状ラインから続いて右大腿前面に向かう直線または弧状曲線の右下部帯状ラインにおける大腿前面に、前記強パワー部が延びて配置され、
前記右胸帯状ラインから続いて左大腿前面に向かう直線または弧状曲線の左下部帯状ラインにおける大腿前面に、前記強パワー部が延びて配置された請求項４に記載のサッカー用ウェア。
【請求項６】
前記上半身ウェアにおける後身頃に、左右の肩甲骨のそれぞれ体心側から下側に沿わせて前記強パワー部が配置された請求項１〜５のいずれか１項に記載のサッカー用ウェア。
【請求項７】
相対的に高い引張応力を示す伸縮性の強パワー部と、相対的に低い引張応力を示す伸縮性のベース部とを備えたサッカー用の下半身ウェアであり、
該サッカー用の下半身ウェアは、
左肩関節から左胸部を経て右股関節に向かう直線または弧状曲線の左胸帯状ラインにおける下腹部に、前記強パワー部が配置されると共に、
右肩関節から右胸部を経て左股関節に向かう直線または弧状曲線の右胸帯状ラインにおける下腹部に、前記強パワー部が配置されたものであることを特徴とするサッカー用の下半身ウェア。
【請求項８】
前記左胸帯状ラインから続いて右大腿前面に向かう直線または弧状曲線の右下部帯状ラインにおける大腿前面に、前記強パワー部が延びて配置され、
前記右胸帯状ラインから続いて左大腿前面に向かう直線または弧状曲線の左下部帯状ラインにおける大腿前面に、前記強パワー部が延びて配置された請求項７に記載のサッカー用の下半身ウェア。
【発明の詳細な説明】
【技術分野】
【０００１】
本発明は、サッカー（フットサルを含む）を行う際に好適なウェアに関するものである。
【背景技術】
【０００２】
体形の補正や姿勢の矯正を目的として、部分的に伸縮力を異ならせた衣料が知られている。また衣服による強い緊締力によって特定の筋肉をサポートし、運動能力の向上を図ることも提案されている。
【０００３】
例えば特許文献１の下肢部保護衣料では、大腿二頭筋の位置等に緊締力の強い生地を配置し、これによりハムストリングスの筋動作のサポートを図っている。なお緊締力の強弱は伸長率の大小で評価することができ、緊締力の強い生地は伸長率が小さく、緊締力の弱い生地は伸長率が大きい。
【０００４】
上記下肢部保護衣料は様々なスポーツに使用可能であり、サッカーにおいても上記下肢部保護衣料を着用することで、下半身の筋肉をサポートして、着用者の運動能力を良好に引き出すことが期待できる。
【先行技術文献】
【特許文献】
【０００５】
【特許文献１】特許第３０１２８１９号公報
【発明の概要】
【発明が解決しようとする課題】
【０００６】
サッカーにおいて最も必要なのは瞬発的且つ強靱なキック力であり、しかもこれらは長時間に亘って持続的に発揮されなければならない。特にゲーム後半では疲労が重なりキックの正確性が低下し、またスプリント力（ダッシュ力）も低下し、思わぬ失点を招くことにつながる。
【０００７】
本発明では着用者の運動能力のサポートを一層向上させ、キックの瞬発力及び精度をより一層向上させ、且つそれらを持続することのできるサッカー用ウェアを提供することを目的とする。
【課題を解決するための手段】
【０００８】
サッカーはボールを蹴るスポーツであることから、特に下半身の動きが注目される。しかし本発明者らは身体全体の動きに着目し、上半身の動きがキックに大きく関与することを見出した。
【０００９】
図５は、ボールをキックする前の身体の様子を表した図であり、（ａ）はその側面図、（ｂ）はその正面図である。図５（ａ）に示すように、キック前は、蹴り足６１（図では右足）を後に引くと共に、蹴り足６１の逆側の胸６３から腕６２（図では左胸から左腕）にかけては後方に伸展している（矢印Ａ参照）。身体全体で見ると（図５（ａ），（ｂ））、蹴り足６１の大腿部から逆側の腕６２を結ぶ斜め方向に後に反らすように伸展している（図５（ｂ）に示す矢印Ｂ参照）。そしてこの伸展した上半身に蓄えられたエネルギーを活用してボール６０をキックする。つまり、大腿部から下腿部にかけての脚の筋肉による力だけでなく、上半身における腕から腹にかけてのエキセントリック筋収縮（伸張性筋収縮）によって溜め込まれた弾性エネルギーを活用し、ボール６０を鋭くキックする。
【００１０】
この知見の下、本発明者らはウェアについて検討したところ、蹴り足と逆側の上腕部から腹部を経て蹴り足側の大腿部前面に至る斜めのラインに、筋収縮力を補強するための強パワー部を設けたウェアとすることにより、キック前の強パワー部の伸長により生成した弾性エネルギーを利用してボールを蹴る動作を補助することができることを見出した。なおゲーム展開により左右のいずれであっても蹴り足として使用するので、左右両方において上記斜めのラインに強パワー部を設ける。
【００１１】
また上記斜めのラインのうちでも、特に腕付け根及び胸部に設ける上記強パワー部が重要であるとの知見を得た。
【００１２】
この様な知見からなされた本発明に係るサッカー用ウェアは、相対的に高い引張応力を示す伸縮性の強パワー部と、相対的に低い（絶対的に低いという意味ではない。本明細書等において以下同じ）引張応力を示す伸縮性のベース部とを備えたサッカー用ウェアであり、該サッカー用ウェアの上半身ウェアが、左肩関節から左胸部を経て右股関節に向かう（方向性を意味しており、その部位まで到達する主旨ではない、本明細書等において以下同じ）直線または弧状曲線の左胸帯状ラインにおける少なくとも腕付け根及び胸部に、前記強パワー部が配置されると共に、右肩関節から右胸部を経て左股関節に向かう直線または弧状曲線の右胸帯状ラインにおける少なくとも腕付け根及び胸部に、前記強パワー部が配置されたものであることを特徴とする。なお本願において、肩関節、胸部、股関節などの身体部分を表す用語は、ウェアにおける当該身体部分に対応する箇所を意味する。
【００１３】
上記ベース部は良好な伸縮性を示し、通常のスポーツ衣料用のニット生地と同様に、弱い力で伸縮する。これに対し上記強パワー部は強い伸縮力を示し、伸長したときに大きい弾性エネルギーを蓄える。なお上記ベース部は３０％伸長時応力が３０cN〜２００cNであることが好ましく、上記強パワー部は３０％伸長時応力が１００cN〜５００cNであることが好ましい。これらの数値は着用者の年齢、性、体力などを考慮して定めると良い。３０％伸長時応力の測定は、ＪＩＳ  Ｌ  １０１８の定伸長時伸長力のカットストリップ法に準拠して行うこととし、試験条件として、「一定伸長」を３０％、「採取試験片の大きさ」を５cm×２０cm、「試験幅」を５cm、「つかみ間の距離」を１０cm、「初荷重」をなしとし、「引張速度」を１分間あたり200mmの伸長とする。
【００１４】
強パワー部は、起立姿勢では伸長されていない自然状態である。そしてキック前において、上記のように蹴り足の大腿から逆側の上腕にかけて身体を反らすように伸ばした姿勢をとることにより上記強パワー部が引き伸ばされる。続いてキック動作に移ったときに、該強パワー部の弾性エネルギーが三角筋前部及び大胸筋の筋収縮を補助するように働く。こうして補助されることで、キック時の身体の負担が軽減され、正確なキックにつながることが期待できる。因みに右足でボールを蹴る場合は左胸帯状ラインの強パワー部が作用し、左足でボールを蹴る場合は右胸帯状ラインの強パワー部が作用する。
【００１５】
なお、着用時に上半身ウェアの裾を下半身ウェアの内側に収めることで、上半身ウェアの下方が下半身ウェアのウエスト周囲のバンドによって身体に保持される。一方、上半身ウェアの頂部側は袖周り布地によって身体に保持される。これら上下の保持によって、上半身を反らせたときにウェアの強パワー部が良好に伸長される。
【００１６】
更に強パワー部の伸長時における身体へのウェア密着性を良好にするため、上半身ウェアの肌側面に滑り止め構造・構成を設けることが好ましい。上記強パワー部の下方側の滑り止め部としては、上半身ウェアの裾部、腹部、或いは胸部における上記左・右胸帯状ライン上或いはその近傍が好ましい。強パワー部の上方側の滑り止め部としては、左右の肩部や左右の上腕部が好ましい。
【００１７】
滑り止め部によって肌（或いはアンダーウェア等の内側の衣服）へのウェアの保持性が増し、身体の動きによるウェアのずれが一層防止される。また滑り止め部を設けたものであれば、上半身ウェアを下半身ウェアの内側に収めなくても（つまりオーバーブラウス状に着用しても）、上半身ウェアの下方を保持することが可能である。
【００１８】
または上半身ウェアと下半身ウェアを一体型（ワンピース型）としたり、或いは両者を着脱自在に取付けて、上下を固定するようにしても良い。着脱自在の構成としては、面ファスナーやスナップ、ボタン、或いは紐による接続等が挙げられる。
【００１９】
本発明における上半身ウェアにおいては、更に前記強パワー部を前記左胸帯状ライン及び前記右胸帯状ラインにおいてそれぞれ、前記胸部から上腹部、または更に臍部まで延ばして配置することが好ましい。
【００２０】
これにより腹直筋等の筋収縮についても補助することができ、キック時の身体の負担が一層軽減され、キックの正確性がさらに増すことが期待できる。
【００２１】
また、前記強パワー部をそれぞれ、前記腕付け根から更に上腕部まで延ばして配置することが好ましい。キックに際しては、上腕部の筋肉も作用しているので、上記のように上腕部まで強パワー部を設けておけば、キック時の上半身の動きをさらに補強することができ、身体の負担が軽減し、キックの正確性の更なる向上が期待できる。
【００２２】
加えて本発明に係るサッカー用ウェアにおいては、前記上半身ウェアと組み合わせて着用する下半身ウェアについても工夫を加えることが望まれる。具体的には、該下半身ウェアが、前記左胸帯状ラインにおける少なくとも下腹部に、前記強パワー部が配置され、前記右胸帯状ラインにおける少なくとも下腹部に、前記強パワー部が配置されたものであることが好ましい。
【００２３】
上述の様に、キック前においては蹴り足の大腿部から逆側の腕を結ぶ斜め方向に後に反らすように身体を伸展しており、キックするときには下腹部の筋肉も活用している。またキック時の股関節屈曲（前方への脚の蹴り出し）の際に腸腰筋等が作用している。これらの点につき、上記のように下半身ウェアの下腹部に上記の如き強パワー部を設けることで、下腹部の腹直筋等ならびに腸腰筋等の筋収縮を補助することができる。よってキック時の身体の負担がさらに軽減され、キックの正確性がより増すことが期待できる。
【００２４】
この様な下半身ウェアについては、上半身ウェアと組み合わせずに単独で用いても良い。即ち本発明に係るサッカー用の下半身ウェアは、相対的に高い引張応力を示す伸縮性の強パワー部と、相対的に低い引張応力を示す伸縮性のベース部とを備えたサッカー用の下半身ウェアであり、左肩関節から左胸部を経て右股関節に向かう直線または弧状曲線の左胸帯状ラインにおける下腹部に、前記強パワー部が配置されると共に、右肩関節から右胸部を経て左股関節に向かう直線または弧状曲線の右胸帯状ラインにおける下腹部に、前記強パワー部が配置されたものであることを特徴とする。
【００２５】
下半身ウェアにおいては、前記左胸帯状ラインから続いてさらに右大腿前面に向かう（方向性を意味しており、その部位まで到達する主旨ではない、本明細書等において以下同じ）直線または弧状曲線の右下部帯状ラインにおける大腿前面に、前記強パワー部が延びて配置され、前記右胸帯状ラインから続いて左大腿前面に向かう直線または弧状曲線の左下部帯状ラインにおける大腿前面に、前記強パワー部が延びて配置されることが好ましい。なお右・左下部帯状ラインは、左・右胸帯状ラインの下端である右・左股関節から大腿前面に向かうラインである。
【００２６】
上記強パワー部によって大腿前側の筋肉の収縮を補助され、身体への負担がさらに軽減された状態となり、そのことによってキックの正確性が一層増すことが期待できる。なおこの場合、少なくとも大腿部の中央の位置まで強パワー部が延びていることが好ましい。
【００２７】
ところで、サッカーにおいては、背筋を伸ばして胸を張った姿勢でプレーすることが良いとされている。しかし疲労により猫背になり、このような悪い姿勢でキックを行うと、その精度が低下するおそれがある。
【００２８】
猫背防止を図る手法としては、背中をクロスするように伸度の低い布帛を配置し、これにより両肩を背中側に引っ張るように保持することが考えられる。しかしそれだけの構造では、肩甲骨の動きが妨げられ、腕の振りが円滑に行えないおそれがある。
【００２９】
この様な観点を踏まえ、本発明に係るサッカー用ウェアにおいては、前記上半身ウェアにおける後身頃に、左右の肩甲骨のそれぞれ体心側から下側に沿わせて前記強パワー部が配置されたものであることが好ましい。なお「体心側」とは、背骨に近い側（身体の中心側）の意味である。
【００３０】
上記のように肩甲骨の周りに沿うように強パワー部を配置することで、両肩が前に向かって猫背になることを防止できる。しかも肩甲骨上には強パワー部が配置されていないので、肩甲骨の動き、即ち腕の動きが妨げられない。従って、背筋が伸びた状態を保持してプレーするようになり、プレーの安定性が高まるようになる。先に述べたキック時の腕部の振り（反り返るような振り）に対しても合目的に作用する。
【００３１】
なお上記強パワー部の幅としては２０mm〜１００mmが好ましく、より好ましくは３０mm〜６０mmである。幅が広すぎると、伸長したとき筋肉を広範に圧迫することになって望ましくなく、幅が狭すぎると、伸長したとき身体に対して狭い範囲に集中して圧迫することになるので、着用感が損なわれるからである。尚、上記強パワー部は、均一の材料で構成する場合に限らず、例えばストライプ状に複数本のパワーライン（引張応力の高い線状部）に分けたものとし、このストライプが全体として上記強パワー部を構成するようにしても良い。
【００３２】
また本発明に係るサッカー用ウェアは、ユニフォームとして用いても良いし、アンダーウェアとして用いても良い。
【発明の効果】
【００３３】
本発明に係るサッカー用ウェアによれば、ボールをキックするにあたって着用者のキック力をサポートすることができる。従ってキック時の身体の負担が軽減され、試合後半の疲労したときであっても、精度の高いキックが可能となることが期待できる。また身体の負担が軽減されることで、疲労が少なくなり、スプリント能力の低下防止等にもつながると期待できる。
【図面の簡単な説明】
【００３４】
【図１】本発明の実施形態１に係るサッカー用ウェアを表し、（ａ）はその上半身ウェアの正面図、（ｂ）は該上半身ウェアの背面図、（ｃ）はその下半身ウェアの正面図、（ｄ）は該下半身ウェアの背面図である。
【図２】（ａ）〜（ｆ）は本発明に係るサッカー用ウェアにおける強パワー部についての他の配置例（その１）を表す正面図である。
【図３】（ａ）〜（ｅ）は本発明に係るサッカー用ウェアにおける強パワー部についての他の配置例（その２）を表す正面図である。
【図４】（ａ）〜（ｅ）は本発明に係るサッカー用ウェアにおける強パワー部についての他の配置例（その３）を表す正面図である。
【図５】ボールをキックする前の身体の様子を表し、（ａ）はその側面図、（ｂ）はその正面図である。
【図６】実験における３０ｍスプリントタイムの平均を回数毎に表したグラフである。
【図７】実験におけるロングキックの飛距離を示したグラフである。
【発明を実施するための形態】
【００３５】
以下、本発明に係るサッカー用ウェアに関して、例を示す図面を参照しつつ具体的に説明するが、本発明はもとより図示例に限定される訳ではなく、前・後記の趣旨に適合し得る範囲で適当に変更を加えて実施することも可能であり、それらはいずれも本発明の技術的範囲に包含される。
【００３６】
＜実施形態１＞
図１は、本発明の実施形態１に係るサッカー用ウェアを表し、（ａ）はその上半身ウェア１０の正面図、（ｂ）は該上半身ウェア１０の背面図、（ｃ）はその下半身ウェア２０の正面図、（ｄ）は該下半身ウェア２０の背面図である。
【００３７】
実施形態１のサッカー用ウェアは、上半身ウェア１０と下半身ウェア２０からなる２ピースタイプのアンダーウェアである。上半身ウェア１０は、引張応力の異なる３種類のニット生地と滑り止め部から構成されている。下半身ウェア２０は、引張応力の異なる３種類のニット生地から構成されている。
【００３８】
このうち引張応力の最も低いベース部２５は３０％伸長時応力がタテ：１８０cN、ヨコ：１００cNであり、引張応力の最も高いハイパワー部は３０％伸長時応力がタテ：４００cN、ヨコ：４５０cNであり、中間の引張応力を示すミドルパワー部は３０％伸長時応力がタテ：３５０cN、ヨコ：３５０cNである。３０％伸長時応力の測定は、ＪＩＳ  Ｌ  １０１８の定伸長時伸長力のカットストリップ法に準じて行い、試験条件として、「一定伸長」を３０％、「採取試験片の大きさ」を５cm×２０cm、「試験幅」を５cm、「つかみ間の距離」を１０cm、「初荷重」をなしとし、「引張速度」を１分間あたり200mmの伸長とする。
【００３９】
なおハイパワー部とミドルパワー部はいずれも本発明における上記強パワー部に対応する。即ち強パワー部を２段（または３段など）に分けて設計することも本発明に含まれる。なお図１においては理解の便のため、ベース部２５を白抜き、ハイパワー部を黒、ミドルパワー部を細かな格子模様、滑り止め部を灰色で表している。
【００４０】
以下に、１：実施形態１のサッカー用ウェアにおける強パワー部（ハイパワー部、ミドルパワー部）の配置、２：強パワー部、ベース部の形成方法、３：実施形態１のサッカー用ウェアの作用効果について順次説明する。
【００４１】
１：実施形態１のサッカー用ウェアにおける強パワー部（ハイパワー部、ミドルパワー部）の配置
１-1：上半身ウェア１０
まず上半身ウェア１０におけるハイパワー部、ミドルパワー部、及び滑り止め部の配置について述べる。
【００４２】
図１（ａ）に示すように、前身頃及び袖前側において、ハイパワー部１１が、左右の上腕部の前面から腕付け根及び胸部を経て上腹部まで延びている。このハイパワー部１１のうち上腕部を除いては、上記左・右胸帯状ライン上に位置している。なお左・右胸帯状ラインとは、一方の肩関節から胸部を経て逆側の股関節に向かう弧状曲線のラインである。なお該弧状曲線は、一方の肩関節から胸部を経て逆側の股関節に向かう直線を基準に、それぞれ外側に湾曲した曲線であって、前腋窩線よりも内側に位置する。
【００４３】
さらに上記ハイパワー部１１の下端部から連続して、ミドルパワー部１５ｂが臍近傍（臍部）に至るまで延びている。またハイパワー部１１の上方部分の周りにミドルパワー部１５ａ，１５ｃが配置されている。
【００４４】
ハイパワー部１１の肩関節付近にて枝分かれするようにハイパワー部１８が連続し、サイドネックポイントに向かって延びている。
【００４５】
図１（ｂ）に示すように、上半身ウェア１０の後身頃において、ハイパワー部１２が、左右の肩甲骨におけるそれぞれ体心側から下側に沿うようにして配置されている。またハイパワー部１２の上端から連続してミドルパワー部１６ａが延びており、肩部の上記ハイパワー部１８に連続している。従ってハイパワー部１１とハイパワー部１２が、肩においてハイパワー部１８とミドルパワー部１６ａを介してそれぞれ繋がることとなる（図１（ａ），（ｂ）参照）。
【００４６】
またハイパワー部１２は脇を通りハイパワー部１１とつながっている。またハイパワー部１２の下方部の周りにはミドルパワー部１６ｂ，１６ｃが配置されている。
【００４７】
上腕の後側には滑り止め部１４が設けられている。滑り止め部１４は細糸で構成された編物であり、表面が滑らかで肌に対する密着力が強い。
【００４８】
この滑り止め部１４の周りの位置に、ミドルパワー部１７ａ，１７ｂ，１７ｃ、ハイパワー部２８が配置されている。なおハイパワー部２８及びミドルパワー部１７ｂ，１７ｃにより上腕周囲をほぼ取り囲むようになっている。
【００４９】
前腕においてもその周囲をほぼ取り囲むように、ハイパワー部１９及びミドルパワー部２９ａ，２９ｂが配置されている。
【００５０】
上半身ウェア１０の前身頃の裾部分における左右の腰骨付近から股関節付近には、滑り止め部１３が設けられている。この滑り止め部１３も細糸で構成された編物であり、表面が滑らかで肌に対する密着作用がある。
【００５１】
上記ハイパワー部、ミドルパワー部、及び滑り止め部以外の箇所がベース部２５となっている。ベース部２５は伸縮性が良好であり、身体の動きに沿って柔らかく且つ良く伸縮する。
【００５２】
１-2：下半身ウェア２０
次に下半身ウェア２０におけるハイパワー部及びミドルパワー部の配置について述べる。
【００５３】
図１（ｃ）に示すように、下半身ウェア２０の前身頃には、ハイパワー部２１が下半身ウェア２０の上端（ウエスト部）から下腹部を経て大腿前面に設けられている。さらにこのハイパワー部２１がハイパワー部２３に連なり、このハイパワー部２３が大腿を螺旋状にほぼ一周する（図１（ｃ），（ｄ）参照）。
【００５４】
なお右のハイパワー部２１は、上記左胸帯状ライン及びこれに続く右下部帯状ライン上に位置しており、左のハイパワー部２１は、上記右胸帯状ライン及びこれに続く左下部帯状ライン上に位置している。右下部帯状ラインとは、左胸帯状ラインから続いて右大腿前面に向かう弧状曲線のラインである。左下部帯状ラインとは、右胸帯状ラインから続いて左大腿前面に向かう弧状曲線のラインである。なお本実施形態１では、右・左下部帯状ラインを、右・左股関節から大腿前面の中央を経て大腿外側に向かう弧状曲線としている。
【００５５】
ハイパワー部２１の上方においては臍付近のハイパワー部２４が連なって設けられている。またハイパワー部２３から枝分かれして臀部に向かうハイパワー部２６が設けられている。さらに脚の付け根を取り囲むようにハイパワー部２７が設けられ、脇にハイパワー部３１が設けられている。大腿の内側（内腿）にはハイパワー部３３が設けられている。またハイパワー部２７，３１及びハイパワー部２１の付近には、ミドルパワー部２２ａ，２２ｂ，２２ｃが設けられている。臀部の下方にはミドルパワー部３２が設けられている。
【００５６】
上記ハイパワー部及びミドルパワー部以外の箇所がベース部２５となっている。ベース部２５は伸縮性が良好であり、身体の動きに沿って軟らかく且つ良く伸縮する。
【００５７】
２：強パワー部、ベース部の形成方法
ウェアにおいて引張応力の異なる強パワー部（ハイパワー部、ミドルパワー部）及びベース部を作り分ける方法としては、
(1)伸度の異なる生地の切替による方法、
(2)引張応力が低く良く伸びる生地を基本生地として用い、これに樹脂を含浸或いは塗布したり、熱可塑性ポリウレタン（ＴＰＵ）等の伸縮性シートや伸縮性生地などを貼着させたりすることで、ハイパワー部やミドルパワー部を形成する方法（基本生地のみの箇所がベース部となる）、
(3)引張応力の高い生地を基本生地として用い、これに抜蝕糊を印捺し、印捺箇所の抜蝕性繊維の一部または全部を除去することでミドルパワー部やハイパワー部を形成する方法（基本生地として残った箇所がハイパワー部となる）、
(4)ジャガード機構を備えた編機等を用い、編組織を変化させたり、部分的に弾性糸の本数や太さを変えることにより、ハイパワー部、ミドルパワー部、ベース部を形成する方法
などが挙げられる。また上記(1)〜(4)の方法を組み合わせても良い。
【００５８】
上記(3)の抜蝕方法の一例について具体的に説明する。まずポリエステル繊維、ポリアミド繊維、及びポリウレタン繊維からなる複合糸を用いて基本生地を製編する。次にこの基本生地について、ミドルパワー部となる箇所にドット状に抜蝕糊を印捺と共に、ベース部となる箇所にべた塗り状に抜蝕糊を印捺する。その後、抜蝕剤により印捺部のポリエステル繊維を除去する。
【００５９】
これにより、ベース部ではポリアミドとポリウレタンの２種の繊維の糸で構成されたものとなるので、良好な伸縮性を示し、引張応力の低いものとなる。一方、基本生地のままの箇所は、引張応力が高く保たれ、ハイパワー部となる。ミドルパワー部ではドット状に抜蝕されるので、ポリアミド及びポリウレタンの２種の繊維の糸で構成された部分と、ポリエステル、ポリアミド及びポリウレタンの３種の繊維の糸で構成された部分とがメッシュ状に混ざるようになり、上記ベース部と上記ハイパワー部の中間の引張応力となる。この様にして３段階に異なる引張応力（伸長時応力）の部分が形成される。
【００６０】
なおミドルパワー部のドット状（或いはメッシュ状）の間隔や大きさを変更することにより、引張応力（伸長時応力）を所望の強さに調整することができる。この手法を用いて、必要により４段階以上に異なる引張応力の部分を形成することもできる。
【００６１】
また上記(3)の抜蝕方法として、国際公開第２００７−０７４８３３号に記載の方法等が挙げられる。
【００６２】
尚ウェアの滑り止め部１３，１４の形成方法については、生地の切替による方法や、摩擦抵抗の高い素材をウェアの肌側面に貼付或いは縫製する方法等が挙げられる。
【００６３】
３：実施形態１のサッカー用ウェアの作用効果
３-1：キック補助作用
上半身ウェア１０及び下半身ウェア２０を着用してボールをキックする場合について説明する。
【００６４】
ハイパワー部１１，２１は、起立姿勢では伸長されていない自然状態であり、キック前において、蹴り足の大腿から逆側の上腕にかけて身体を反らすように伸ばした姿勢をとることによりハイパワー部１１，２１が伸長される。続くキック時において、蹴り足を前方に蹴り出すと共に身体を前に屈める動作の際、上記伸長されたハイパワー部１１，２１の収縮力が補助的に働く。この様にハイパワー部１１，２１によって補助されることで、キック時の身体の負担が軽減され、キックの精度向上が期待できる。
【００６５】
またこのように身体の負担が軽減されるので、疲労が少なくなり、スプリント能力の低下防止にも繋がると考えられる。
【００６６】
なお上半身ウェア１０は、上方では滑り止め部１４と裾周りによって身体に保持され、下方では滑り止め部１３によりずれが防止されるので、キック前に身体を反らす姿勢をとった際に、ハイパワー部１１がしっかりと伸長される。
【００６７】
下半身ウェア２０では、ハイパワー部２１が上方においてウエスト紐やウエストゴムにより身体に保持され、下方ではハイパワー部２３によって身体に支持されるので、身体を反らしたときハイパワー部２１はしっかりと伸長される。
【００６８】
３-2：猫背防止作用（プレー中の姿勢）
背中を丸めようとすると、肩甲骨周囲に配置されたハイパワー部１２が引き伸ばされるようになるのでこれが抵抗となり、猫背が防止される。殊に本実施形態１では、ハイパワー部１２が肩及び脇を通ってハイパワー部１１と繋がっているから、より強力に猫背防止が図られる。
【００６９】
３-3：筋肉揺れ防止作用、緩衝作用
広背筋、上腕筋、大腿筋などの大きな筋肉は、例えば走ったり飛んだりしたときの着地時に衝撃を受けて大きく波打ち、揺れが生じる。この筋肉の揺れは、次の動作に移る際の大きなエネルギーロスにつながる。
【００７０】
この点について本実施形態１のサッカー用ウェアでは、上記の通り様々な箇所にハイパワー部及びミドルパワー部を設けているので、これらが身体に対して着圧をかけ（例えば１０〜５０hPa）筋繊維を束ねるように作用する。従って筋肉の揺れが抑制され、よってエネルギーロスが軽減されて疲労の抑制につながる。
【００７１】
特に大腿部の筋肉では、内腿の部分から大きな波が生じ、これにより大腿四頭筋などの大きな筋肉が揺れると考えられる。本実施形態１では、揺れの発生要因の一つである内腿の部分にハイパワー部３３を設け、ここを起点に前側、後側へハイパワー部やミドルパワー部を延ばして設けており、従ってこれらが大腿部を締め付ける方向に力が働いて筋肉の揺れを防止する。
【００７２】
なおハイパワー部は弾性応力が高いことから、配置箇所によっては動きの妨げになったり、フィット感が損なわれる懸念がある。しかし本実施形態１においては、上記懸念の想定される配置箇所について、該ハイパワー部に続けてミドルパワー部が設けられているので、このミドルパワー部が緩衝的役割をし、その結果、動きやすく、フィット性が良好となる。
【００７３】
＜他の実施形態＞
図２〜４は、本発明に係るサッカー用ウェアにおける強パワー部について、他の配置例（その１〜３）を表す正面図である。なお図２〜４ではワンピースタイプのウェアを表しているが、これをウエスト部分で切り替えた２ピースタイプとしても良い。
【００７４】
図２（ａ）のウェアは、強パワー部４１が左・右胸帯状ラインにおける腕付け根から胸部（大胸筋下端の位置まで）に設けられたものである。図２（ｂ）のウェアは、強パワー部４１が左・右胸帯状ラインにおける腕付け根から胸部を経て上腹部に設けられたものである。図２（ｃ）のウェアは、強パワー部４１が、左・右胸帯状ラインにおける腕付け根及び胸部と、これに続いて上腕部の前側及び前腕部の前側に設けられたものである。
【００７５】
図２（ｄ）のウェアは、強パワー部４１が、左・右胸帯状ラインにおける下腹部に設けられたものである。図２（ｅ）のウェアは、強パワー部４１が、左・右胸帯状ラインと右・左下部帯状ラインにおける下腹部及び大腿部前面に設けられたものである。図２（ｆ）のウェアは、強パワー部４１が、左・右胸帯状ラインと右・左下部帯状ラインにおける下腹部、大腿部前面を経て（股関節から大腿直筋に沿うようにして膝方向に向かって）足首まで設けられたものである。なお強パワー部４１を長く形成したものほどキック補助の効果が高い。つまり強パワー部４１を下腹部のみに設けた図２（ｄ）のウェアより、下腹部と大腿部に設けた図２（ｅ）のウェアの方が効果が高く、下腹部から大腿部前面（大腿直筋）を経て膝から足首に向かって設けた図２（ｆ）のウェアの方が高い効果を示す。
【００７６】
図３（ａ）のウェアは、強パワー部４１が、左・右胸帯状ラインにおける腕付け根及び胸部と、これに続いて上腕部に設けられたものである。図３（ｂ）のウェアは、強パワー部４１が、左・右胸帯状ラインにおける腕付け根から胸部、上腹部、臍部及び下腹部に設けられたものである。
【００７７】
図３（ｃ）のウェアは、強パワー部４１が、左・右胸帯状ラインにおける腕付け根及び胸部に設けられると共に、下腹部に設けられたものである。図３（ｄ）のウェアは、強パワー部４１が、上腕部及び左・右胸帯状ラインにおける腕付け根と胸部に設けられると共に、左・右胸帯状ラインと右・左下部帯状ラインにおける下腹部及び大腿部に設けられたものである。図３（ｅ）のウェアは、強パワー部４１が、手首から前腕部の前側、上腕部の前側を経て、左・右胸帯状ラインにおける腕付け根と胸部に設けられると共に、左・右胸帯状ラインと右・左下部帯状ラインにおける下腹部、大腿部を経て（股関節から大腿直筋に沿うようにして膝方向に向かって）足首まで設けられたものである。
【００７８】
図４（ａ）のウェアは、強パワー部４１が、上腕部から左・右胸帯状ラインにおける腕付け根、胸部、上腹部、臍部、下腹部を経て、右・左下部帯状ラインにおける大腿部に連なって設けられたものである。図４（ｂ）のウェアは、強パワー部４１が、手首から前腕部、上腕部、左・右胸帯状ラインにおける腕付け根、胸部、上腹部、臍部、下腹部を経て、右・左下部帯状ラインにおける大腿部、下腿まで連なって設けられたものである。図４ｃ）は、上記図４（ｂ）に示す強パワー部４１において、膝の部分を避けつつ、さらに足首まで伸びて設けられたものである。
【００７９】
なお強パワー部を長く形成したものほどキック補助の効果が高く、例えば図２（ａ）のウェアより図２（ｂ）のウェアの方が効果が高く、さらに図３（ｂ）のウェア、図４（ａ）のウェア、図４（ｃ）のウェアの方が高い効果を示す。
【００８０】
図４（ｄ），（ｅ）のウェアは、図４（ｂ）に示すウェアにおける強パワー部４１を、破線状に分断された強パワー部４２，４３に換えたものであり、（ｄ）は粗く分断され、（ｅ）は細かく分断されたものである。この様に強パワー部が非連続に構成されたものであっても、全体として強い引張応力が発揮されれば良く、これによりキックの補助が可能である。
【００８１】
以上のように強パワー部は種々の配置が可能であり、１つの強パワー部のうちでもその幅を部分によって変えても良い。また１つの箇所の強パワー部を１本で構成する場合に限らず、複数本を並行させるように形成しても良い。
【００８２】
強パワー部の引張応力（３０％伸長時応力）としては、いずれの箇所も同じ応力としても良く、或いは場所によって様々に異ならせるようにしても良い。なお１つの強パワー部中において応力を変えるようにしても良い。
【００８３】
なお上記実施形態１では左胸帯状ライン及び右胸帯状ラインが弧状曲線の場合を示したが、左・右胸帯状ラインを直線状のラインとし（一方の肩関節から胸部を経て逆側の股関節に向かう直線）、このライン上に強パワー部を配置するようにしても勿論良い（例えば図３（ｂ）参照）。また右下部帯状ライン及び左下部帯状ラインについても直線状のラインとし（左胸帯状ラインから続いて右大腿前面に向かう直線、右胸帯状ラインから続いて左大腿前面に向かう直線）、このライン上に強パワー部を配置するようにしても良い（例えば図３（ｄ），（ｅ）参照）。
【００８４】
上記実施形態１ではアンダーウェアであるが、本発明のサッカー用ウェアをアウターウェアとしても勿論良い。
【００８５】
＜実験＞
キックの正確性及びスプリント力の低下抑制効果について実験を行った。実験方法は、次の通りである。
【００８６】
上記実施形態１のサッカー用ウェア（上半身ウェア１０及び下半身ウェア２０）を着用した被験者が、３０ｍを全力で走り（３０ｍスプリント）、その直後に、遠くに設置したターゲットに向かってロングキックを行い、次いでスタート地点までジョギングにより戻る。この運動を３０秒周期で１０回繰り返し、それぞれの回のスプリントタイムを測ると共に、上記ロングキックにおけるボールの飛距離を測定した。比較として、ベース部２５と同じ素材で全て構成された従来のサッカー用ウェア（上半身ウェア及び下半身ウェアの２ピースタイプ）を用い、同様に実験を行った。被験者は大学サッカー部員５名とした。
【００８７】
図６は、被験者５名の３０ｍスプリントタイムの平均を回数毎に表したグラフである。図６から分かるように、いずれのウェアを着用しても回数が進むにつれ疲労してスプリント力が低下するが、実施形態１のサッカー用ウェアの着用の場合は、スプリント力の低下が抑制される。なお１０回目（最終回）は最後という心理的影響により、いずれの場合もスプリント力が上がったと考えられる。
【００８８】
図７は、ロングキックの飛距離を示したグラフである。該グラフにおける太い棒グラフ部分は被験者５名、１０回の平均の飛距離を表し、細い棒グラフ部分は被験者５名、１０回のうちの最長飛距離を表す。
【００８９】
図７から分かるように、従来のウェアに比べ、実施形態１のウェアの方が飛距離が長い。なお実施形態１のウェアの平均と従来のウェアの平均の差に有意性があるかどうかを確かめるため、対応のあるｔ検定で検定を行ったところ、５％水準で有意性があった。このことから、実施形態１のサッカー用ウェアの着用により飛距離が延び、疲労によるキック能力の低下を抑制できるということが言える。
【００９０】
ボールを遠くに蹴るためには、全身の関節や姿勢の安定が重要であるが、実施形態１のサッカー用ウェアの着用により、ボールコントロールのための多くの関節の安定性が向上し、パワフル且つ正確なキックが可能となると考えられる。
【符号の説明】
【００９１】
１０  上半身ウェア
１１，１２，１８，１９，２１，２３，２４，２６，２７，２８，３１  ハイパワー部
１５ａ，１５ｂ，１５ｃ，１６ａ，１６ｂ，１６ｃ，１７ａ，１７ｂ，１７ｃ，２２ａ，２２ｂ，２２ｃ，２９ａ，２９ｂ，３２  ミドルパワー部
２０  下半身ウェア
２５  ベース部
４１，４２，４３  強パワー部
【図１】
2011021291.tif 000003
【図２】
2011021291.tif 000004
【図３】
2011021291.tif 000005
【図４】
2011021291.tif 000006
【図５】
2011021291.tif 000007
【図６】
2011021291.tif 000008
【図７】
2011021291.tif 000009